(57)【要約】【課題】従来、樹木の周囲の地面を覆う部材は金属素材が覆いので、軽くて折り畳めて多様な使い方ができる樹木周囲に敷く覆いネットシ−トを提供する。【解決手段】ネットシ−ト２を半径約２メ−トルから３メ−トルくらいの円形にカットした中央部に切れ目３付き保持穴４を設け、その保持穴４から外周縁に至る開放切れ込み５を設けてなる外周に、空気の注入口６を有するチュ−ブ７を取り付けるとともに、前記した開放切れ込み５の一方に連結片８を設け、その連結片８と対向側ネットシ−ト２面に閉じ具９を設けてなる覆いネットシ−ト１とする。【選択図】図１
2007330238.tif 000002
【特許請求の範囲】
【請求項１】
所定の大きさのネットシ−トの中央に保持穴を設け、その保持穴から外周に至る開放切れ込みを設けた構成を特徴とする樹木の周囲に敷く覆いネットシ−ト。
【請求項２】
上記するネットシ−トの外周に、空気を出し入れできる注入口付きチュ−ブを取り付けた請求項１に記載する樹木の周囲に敷く覆いネットシ−ト。
【請求項３】
上記するネットシ−トの外周に、細いバネ棒を取り付けた請求項１に記載する樹木の周囲に敷く覆いネットシ−ト。
【請求項４】
上記する開放切れ込み部の連結片とネットシ−トに、着脱できる閉じ具を取り付けた請求項１から請求項３のいずれかに記載する樹木の周囲に敷く覆いネットシ−ト。
【請求項５】
上記するネットシ−トの外周に設けたバネ棒が、半分づつ単独に取り付けることで二つに折り畳める請求項３に記載する樹木の周囲に敷く覆いネットシ−ト。
【発明の詳細な説明】
【技術分野】
【０００１】  本発明は、樹木の周囲に敷くことで、落下する木の実を効果的に拾ったり、樹木の根元の踏み固め防止や植樹した若芽を動物に食べられる食害防止をすることができる覆いネットに関する。
【背景技術】
【０００２】  従来、梅が実や銀杏などを収穫する場合は、木の下にネットやシ−トなど敷いてから、竹竿や長い棒などの器具を用いて梅の実を落として後、ネットやシ−トをまとめるようにして収穫している。また、公園や道の端に植えられている桜の木の根元が踏み固められるのを防止するために樹木の周囲に縁石を設け、その上に金属や合成樹脂材による網板を載せて保護している。さらに植樹したばかりの背の低い樹木の芽は柔らかいので、鹿や動物による食害を守るために一定の期間、針金製の網で包んで食べられないようにしている。【０００３】  さらに、植樹した若木を動物の食害から守る保護体として、苗木の周囲に側板に孔部を設けた包囲部材でラッパ状に包むようにした苗木用保護体の技術がある。（例えば、特許文献１参照）
【特許文献１】特開平１１−２６６７２１公報
【発明の開示】
【発明が解決しようとする課題】
【０００４】  以上のような方法で梅の実や銀杏などを収穫しているが、単に棒で落とした場合は拾い集めなければならず、またシ−トなど敷いて落とす場合は、落とす場所ごとに敷き直さなければならないので面倒である。さらに樹木の周りの踏み固め防止は、工事を施さなければならないのでコストも掛かり面倒である。加えて動物の食害防止は金網などで一々包まなければならないし、一定期間後に取り外すのも面倒で大変であった。【０００５】  加えて、特開平１１−２６６７２１公報に示す技術は動物による食害防止用であるが、これは孔を開けた包囲部材で苗木をラッパ状に包むようにして地面に差し込んで取り付けるが、動物の口が届く高さの若木まで保護するには、大中小と取り揃えて成長ごとに順次取り替えたりする手間やコストが掛かるなどの不便や欠点のある苗木用保護体であった。
【課題を解決するための手段】      落す【０００６】  本発明は上記するような不便や欠点を解消するために請求項１においては、所定の大きさのネットシ−トの中央に保持穴を設け、その保持穴から外周に至る開放切れ目を設けることで、樹木の周囲に一体に敷くことができる覆いネットシ−トとする。【０００７】  請求項２においては、上記するネットシ−トの外周に空気を出し入れできる注入口付きチュ−ブを取り付けることで、ネットシ−トをピ−ンと張れるようにする。【０００８】  請求項３においては、上記するネットシ−トの外周に細いバネ棒を取り付けることで、ネットシ−ト常時円形に張れるようにする。【０００９】  請求項４においては、上記する開放切れ込み部の連結片とネットシ−トに着脱できる閉じ具を取り付けることで、開放切れ込み部を塞ぐことができるようにする。【００１０】  請求項５においては、上記するネットシ−トの外周に設けるバネ棒を半分づつ単独に取り付けることで、二つ折りできる覆いネットシ−トとする。
【発明の効果】
【００１１】  本発明の覆いネットシ−トは、所定の大きさのネットシ−トの中央に保持穴を設け、その保持穴から外周に至る開放切れ込みを設けているので、樹木の周囲に敷く時は開放切れ込み部を開いて保持穴に樹木を収められるため、慣れない者や子供でも簡単に樹木の周囲にネットシ−トを敷くことができる。【００１２】  さらに実施例１においてはネットシ−トの周囲にチュ−ブを設けることで円形状に張って敷けるので、梅や銀杏などの落下性の木の実を効果的に収穫できるとともに、空気を抜けば小さく折り畳めて収納できる。さらに実施例２及び３タイプの外周にはバネ棒を設けているのでそのまま樹木にセットできるとともに、実施例３タイプは外周縁のバネ棒が二つに折り畳められてコンパクトにできる。加えて、実施例２タイプは網目が大きいので食害防止用として使うと、鹿の脚が絡んで近寄りにくくなるので木の芽の食害を最小限にすることができる。【００１３】  また実施例３タイプはもとより他の実施例も桜の木の周囲に敷けば人が樹木の根元を歩くのを防げるので、効果的に踏み固め防止ができる覆いネットシ−トとして使えるうえ、構造もシンプルであるので安価に提供できる、従来には見られないユニ−クな樹木の周囲の踏み固めを防止できる覆いネットシ−トを広く提供できる。
【発明を実施するための最良の形態】
【００１４】  樹木の周りに敷いて、落下する木の実の収穫や根元の保護を初め若木の芽を動物の食害から守るものとして、所定の大きさのネットやシ−ト（以下、ネットシ−トと称す）の中央に保持穴を設け、その保持穴から外周に至る開放切れ込みを設けて開閉自在とする樹木周囲に敷く覆いネットシ−トとする。
【実施例１】
【００１５】  本発明による実施例１の覆いネットシ−トを、図１の斜視図と図２に示す使用例参考図で説明する。本実施例における覆いネットシ−ト１は、細かい網目によるネットシ−ト２を半径約２メ−トルから３メ−トルくらいの円形にカットした中央部に切れ目３付き保持穴４を設け、その保持穴４から外周に至る開放切れ込み５を設けてなる外周に、空気の注入口６を有するチュ−ブ７を取り付けるとともに、前記した開放切れ込み５の一方に連結片８を設け、その連結片８と対向側のネットシ−ト２面にホックなどの閉じ具９を設けてなる覆いネットシ−ト１を構成する。【００１６】  実施例１の覆いネットシ−ト１は、円形にカットしたネットシ−ト２の一部に開放切れ込み５を設けた中心部に樹木を収められる保持穴４を設けるとともに、その周囲には空気注入口６を有するチュ−ブ７を設けているので、樹木の周囲に敷く時は注入口６から空気を入れて膨らませて後、図２に示すように、開放切れ込み５から保持穴４部に樹木を収めてから閉じ具９付き連結片８を合わせると樹木の周囲にネットシ−ト２を敷くことができるので、例えば、梅の実などを収穫する時は落とした木の実Ａはネットシ−ト２面で受け止められる。尚、保持穴４には切れ目３を付けているので樹木の太さに関わらずセットできるうえ、使用後に空気を抜くと小さく折り畳むことができる。
【実施例２】
【００１７】  実施例２の覆いネットシ−トを図３に示す斜視図と図４に示す一部省略した要部拡大断面図で説明する。この実施例における覆いネットシ−ト１は、植樹した若木の芽を鹿などの動物の食害防止用とするものとし、ネットシ−ト２の網目は鹿などの足が収まり、かつ抜けにくい大きさの荒目でなる半径約１メ−トル半前後のネットシ−ト２とし、そのネットシ−ト２は、前記実施例１と同様に切れ目３付き保持穴４と開放切れ込み５を設け、その開放切れ込み５部に面ファスナ−による一組の閉じ具９，９を設けた連結片８を取り付けたネットシ−ト２の外周縁１０に、細いバネ棒１１を取り付けた覆いネットシ−ト１を構成する。【００１８】  実施例２のネットシ−ト２は前記実施例１と同じであるが、その外周縁１０には、針金状の細いバネ棒１１を取り付けているのでネットシ−ト２を円形状にピ−ンと張れる。また網目は大きいので鹿の脚が入つて引っ掛かり易い。
【実施例３】
【００１９】  実施例３の覆いネットシ−トを、図５に示す斜視図と図６に示す折り畳み側面図で説明する。本実施例による覆いネットシ−ト１は、桜などの樹木の周囲の踏み固め防止用に対応するものである。本実施例タイプにおけるネットシ−ト２の素材は、塩化ビニ−ルや繊維織りによる柔軟で丈夫なシ−トとし、そのネットシ−ト２には、前記各実施例同様に切れ目３付き（図示せず）保持穴４と開放切れ込み５と連結片８を設けるとともに、前記ネットシ−ト２の開放切れ込み５の延長した部位に折り縁１２を設けてなる半円状の外周縁１０，１０に二本のバネ棒１１，１１を個別に取り付けてなる覆いネットシ−ト１を構成する。【００２０】  実施例３の覆いネットシ−ト１の外周には、前記実施例３と同じバネ棒１１を取り付けたタイプであるが、開放切れ込み５部を延長する部位に折り縁１２を設けてなる半円状の外周縁１０，１０に、単独のバネ棒１１，１１二本を個別に取り付けているので、樹木周囲に取り付ける時は広げるだけで円形を維持し、取り外せば折り縁１２部で半分に折り畳める覆いネットシ−ト１を形成する。【００２１】  本発明による覆いネットシ−ト１の連結片８にはホックや面ファスナ−による閉じ具９を設けているが、チャックやボタンなど着脱できるものであれば他の物でもよい。また形態は円形であるが楕円や他の形状でもよく、いずれも特に限定されるものではない。
【図面の簡単な説明】
【００２２】
【図１】本発明の実施例１の覆いネットシ−トを示す斜視図である。
【図２】実施例１の覆いネットシ−トを樹木に周囲にセットした使用状態図である。
【図３】実施例２の覆いネットシ−トを示す斜視図である。
【図４】実施例２の覆いネットシ−トの一部省略した要部拡大断面図である。
【図５】実施例３の覆いネットシ−トを示す斜視図である。
【図６】実施例３の覆いネットシ−トを折り畳んだ側面図である。
【符号の説明】
【００２３】  １  覆いネットシ−ト
２  ネットシ−ト
３  切れ目
４  保持穴
５  開放切れ込み
６  注入口
７  チュ−ブ
８  連結片
９  閉じ具
１０  外周縁
１１  バネ棒
１２  折り縁
Ａ  折り縁
【図１】
2007330238.tif 000003
【図２】
2007330238.tif 000004
【図３】
2007330238.tif 000005
【図４】
2007330238.tif 000006
【図５】
2007330238.tif 000007
【図６】
2007330238.tif 000008